(57)【要約】本発明は、圧排糸、特に歯科の分野で用いられる歯科用圧排糸に関し、これはエアスワール法により製造された糸を含むことを特徴とする。
2008504087.tif 000002
【特許請求の範囲】
【請求項１】
エアボルテックス法により製造された少なくとも１種の糸（２）を有することを特徴とする、歯科用圧排糸（１）。
【請求項２】
糸が、特にポリアミドおよびポリエステルから選択される１種または２種以上のポリマー材料を含むことを特徴とする、請求項１に記載の圧排糸。
【請求項３】
表面が可溶性物質により被覆されていることを特徴とする、請求項１または２に記載の圧排糸。
【請求項４】
可溶性物質がデンプンであることを特徴とする、請求項３に記載の圧排糸。
【請求項５】
少なくとも１種の医薬活性成分を収納するための少なくとも１つのキャビティを含むことを特徴とする、請求項１〜４のいずれかに記載の圧排糸。
【請求項６】
医薬活性成分が、収斂活性成分および抗菌活性成分から選択されることを特徴とする、請求項５に記載の圧排糸。
【請求項７】
編まれているかまたはより合わされていることを特徴とする、請求項１〜６のいずれかに記載の圧排糸。
【請求項８】
溝への挿入後に体積が増加することを特徴とする、請求項１〜７のいずれかに記載の圧排糸。
【発明の詳細な説明】
【背景技術】
【０００１】
本発明は、その前文に従って、圧排糸、例えば、歯学において歯肉溝用の歯科用圧排糸として特に用いられるような圧排糸に関する。
歯学においては、補綴または部分補綴の歯科治療において、例えば、インレー、アンレー、クラウンまたはブリッジの形成において、（部分）義歯の形成のために印象を作製することが一般に必要とされる。（部分）義歯を形成するために印象を歯茎（歯肉）の部位で採る必要がある場合、正確な印象を作製するために、歯茎を後退させねばならず、また頻繁に起こる出血を止めなければならないため、問題が生じる。
【０００２】
このために、いわゆる圧排糸を歯肉と歯の間のポケット状の陥凹（溝）に挿入し、これによって歯茎を機械的に後退させることができる。圧排糸によって血液や唾液などの液体を吸収し、「歯を乾燥状態に保って」正確な印象を採ることが可能となることが意図される。止血の目的のためには、圧排糸にはさらに、通常、収斂活性成分または止血活性成分を含浸させ、これらの成分は歯茎において放出され、そこで止血効果を生じる。
【０００３】
従来技術で知られている圧排糸の短所は、特に、圧排糸が液体を吸収する能力が不十分であるか、または十分ではないことである；しかし、歯肉溝において圧排糸を好都合に用いるには、十分な能力は必須条件である。不適切な吸収性の結果、血液や唾液などの液体を歯から完全に遠ざけることができず、その結果、印象を採る際に誤差が生じる可能性がある。
【発明の開示】
【０００４】
本発明の根底となる問題は、従って、改善された吸収性を有する圧排糸を提供することであり、これにより、上述の問題を回避するかまたは低減することができる。
前記問題は、エアボルテックス法（air vortex process）により製造された少なくとも１種の糸を有する圧排糸、特に歯科において用いるための歯科用の圧排糸により解決される。本発明の有利な開発事項は、従属クレームの特徴によって示される。
【０００５】
本発明の提示によれば、本圧排糸は、エアボルテックス法により製造された少なくとも１種の糸を有するという事実、特に、エアボルテックス法により製造された少なくとも１種、２種または３種以上の糸からなるという事実を特徴とする。１種または２種以上の糸は、有利には１つのポリマー材料から、または特に有利には複数のポリマー材料から、特に材料混合物の形態において構成され、これは特に、高弾性（ＨＥ）ポリアミド、ポリウレタン、ポリエチレン、ポリアクリル、ポリ塩化物および／またはポリエステルのマルチフィラメントであってよい。出願人による試験に示されるように、かかる糸は、特に水分に関して特に高い吸収性と、そして特に高い膨潤能力を有し、このためこれらは、歯肉溝における歯茎に対する、圧排糸の特に優れた後退効果を実現することができる。本発明の圧排糸は、液体（特に水分）に接触すると体積が変化し、その結果溝を広げることができ、従って印象を採る際に精度の改善を可能にする。この独立した体積変化は、膨潤または他の反応、例えば材料の記憶効果または化学的泡形成により達成できるが、しかし特に膨潤により達成される。体積の変化は、２０％、３０％または５０％までもが可能である。さらに、かかる糸から製造された圧排糸は、血液や唾液などの液体を特によく吸収することができ、これにより、正確な印象を可能とする。限定はしないが、エアボルテックス法により製造された糸の高い吸収性の可能性のある理由として、毛管効果が挙げられる。
【０００６】
本発明の圧排糸用の糸を製造するために用いることができるエアボルテックス法は、当業者に知られたエアボルテックス法であり、これはフィラメントを織るために現在用いられており、エアジェット吹き込み法としても知られている。従って、これのさらなる詳細を本明細書で示す必要はない。（エアボルテックス法は、例えば、US 6088892、US 2003110754、US 6564438、WO 0052240およびUS 2002073684に記載されている。）このような方法において、フィラメントは通常、ノズルを通って供給される圧縮空気などの圧力媒体によって撚り合わされる。その結果、フィラメントに紡織繊維（textile）の性質が賦与される。エアボルテックス法は、冷間加工または熱間加工として実施することができ、後者は特に、高圧蒸気によって実施することが可能であり、これはフィラメントを撚り合わせて固定する効果を有する。
【０００７】
本発明の圧排糸の特に有利な態様において、圧排糸はその表面を可溶性物質、特に水溶性物質により被覆され、該表面は少なくとも部分的に、有利には完全に積層される。該物質は、例えば、デンプン、ワックス、グルテン、カゼインまたはゼラチンであってよい。可溶性物質により圧排糸を被覆する効果は、可溶性物質が周囲の流体（例えば唾液）に溶解して表面から取り除かれた場合にのみ、圧排糸がその場で膨張可能となることである。代替的に圧排糸は、この目的のために使用の直前に、例えばアルコールに浸して被覆を溶解することにより、次に溝において完全に膨張することができる（記憶効果）。これにより、圧排糸の直径は大幅に減少させることができ、すなわち、圧排糸は非常に細く作ることができる。比較的細い圧排糸はしかし、大幅により容易に、より正確に、そして特により深く溝に挿入することができ、溝の効果的な拡張のために安定な位置に位置させることができる。
【０００８】
本発明の圧排糸のさらに有利な態様においては、圧排糸は、少なくとも１種の医薬活性成分、例えば収斂活性成分または抗菌活性成分を含む。用いることができる活性成分の例は、例えばEP 1 188 419に開示されている。用いる活性成分の濃度は、その物質に大きく依存する。クロルヘキシジンは、例えば０．２〜５％の溶液において用いることができる。止血剤の場合は、濃度は例えば１０〜３０％である。少なくとも１種のかかる医薬活性成分を収納するために少なくとも１つのキャビティを有する圧排糸の態様は、特に有利である。かかる機構において、圧排糸の繊維（糸）は中空繊維の形態であってよい。例えばキャビティの中に含有される医薬活性成分は、歯茎においてその場で配置された圧排糸から放出され、圧排糸の流体吸収作用に加えて、例えば収斂作用により、そこでの正確な印象の作製を支援することができる。さらなる作用は、感染に対する保護であり、傷の治癒を促進するための手段である。キャビティを医薬活性成分で充填することは、圧排糸の均質な製造の点でも有利であり、また医薬活性成分の保存安定性を改善するが、これは、従来技術による圧排糸の場合のような液体媒体への浸漬過程が適用されないからである。
【０００９】
本発明の圧排糸は、有利により合わせるか（braided）または編むことができる。特に、混合ポリマー材料のエアツイスト糸から製造された、特に好都合に編まれた圧排糸は、高い弾性を特徴とする。
乾燥状態において、圧排糸は例えば０．０５〜０．５ｍｍの直径、好ましくは０．１〜０．３ｍｍ、および特に約０．２ｍｍの直径を有する。
本発明を、ここで実施態様の例を用いて、添付の図表を参照して説明する。
【００１０】
図１は、本発明による圧排糸１の態様の例を示し、ここでエアボルテックス法により織られた糸２は、一緒に編まれている。糸はポリマー混合材料からなり、これは、ポリアミド−ポリエステル混合物から選択される。圧排糸の表面は水溶性デンプン（図示なし）により被覆されている。圧排糸の直径は約０．２ｍｍである。糸は中空の繊維として形成され、収斂活性成分および抗菌活性成分を含む。
【００１１】
図２は、図１の圧排糸の歯肉溝中における使用を示す。歯３と歯茎４の間のポケット状の陥凹である歯肉溝を広げるために、圧排糸１をポケット状の陥凹に挿入する；挿入には先端部を有するツールを好都合に用いる。圧排糸１の比較的小さな直径により、ユーザーは、溝を広げるのに安定な位置に圧排糸を容易に位置させることができる。歯と歯茎の間の陥凹が広げられた後に、歯３の印象を採ることができる。
【図面の簡単な説明】
【００１２】
【図１】本発明による圧排糸の態様の例を示す図である。
【図２】本発明による圧排糸の歯肉溝における使用例を示す図である。
【図１】
2008504087.tif 000003
【図２】
2008504087.tif 000004
【国際調査報告】
2008504087.tif 000005
2008504087.tif 000006
2008504087.tif 000007
2008504087.tif 000008